【手続補正書】
【提出日】平成18年9月26日(2006.9.26)
【手続補正１】
【補正対象書類名】特許請求の範囲
【補正対象項目名】全文
【補正方法】変更
【補正の内容】
【特許請求の範囲】
【請求項１】
放送を受信して再生するとともに、放送されたコンテンツに関連する情報を取得することが可能な情報処理装置において、
特定の周波数の放送信号を受信する放送信号受信手段と、
前記放送信号受信手段により受信された放送信号を再生する放送信号再生手段と、
前記放送信号受信手段により受信される放送信号内のコンテンツに関連する関連情報を要求する要求情報を、受信される放送信号に対応する放送局を識別する放送局識別情報とともに送信する送信手段と、
前記要求情報に対応する前記関連情報を受信する関連情報受信手段と、
前記関連情報受信手段により受信された前記関連情報を表示する表示手段と、
複数の放送局名、受信するための周波数、および前記放送局識別情報が対応付けられた放送局対応情報があらかじめ記憶される対応情報記憶手段と、
を有することを特徴とする情報処理装置。
【請求項２】
前記放送信号受信手段により受信される放送信号の周波数と、前記対応情報記憶手段に記憶された前記放送局対応情報内で当該周波数に対応する前記放送局名および前記放送局識別情報とを関連付けて記憶する受信設定記憶手段をさらに有することを特徴とする請求項１記載の情報処理装置。
【請求項３】
前記放送信号受信手段により放送信号が受信された周波数を自動的に検出する受信周波数検出手段をさらに有し、
前記受信設定記憶手段は、前記放送局対応情報内の周波数のうち、前記受信周波数検出手段により検出された周波数と一致した周波数に対応する前記放送局名および前記放送局識別情報を、当該周波数に関連付けて自動的に記憶する、
ことを特徴とする請求項２記載の情報処理装置。
【請求項４】
前記受信設定記憶手段は、前記受信周波数検出手段により検出された周波数のうち、前記放送局対応情報内の周波数と一致しない周波数については、ユーザ入力に基づき、当該周波数を前記放送局対応情報内の任意の前記放送局名および対応する前記放送局識別情報に関連付けて記憶することを特徴とする請求項３記載の情報処理装置。
【請求項５】
前記受信設定記憶手段に記憶された周波数がユーザ入力に基づいて選択されると、選択された前記周波数が前記放送信号受信手段の受信周波数として設定されるとともに、選択された前記周波数に対応する前記放送局識別情報が前記要求情報とともに前記送信手段により送信されることを特徴とする請求項２記載の情報処理装置。
【請求項６】
前記放送局対応情報には、前記放送局名、前記周波数および前記放送局識別情報が受信可能な地域を示す地域情報に対応付けられており、
ユーザ入力により選択された前記地域情報に基づいて、前記放送信号受信手段により受信された放送信号の周波数と、前記対応情報記憶手段に記憶された前記放送局対応情報内で当該周波数および選択された前記地域情報に対応する前記放送局名および前記放送局識別情報とを関連付けて記憶する地域別受信設定記憶手段をさらに有することを特徴とする請求項１記載の情報処理装置。
【請求項７】
ユーザ入力に基づいて、前記対応情報記憶手段に記憶された前記放送局対応情報の記憶内容を更新する更新手段をさらに有することを特徴とする請求項１記載の情報処理装置。
【請求項８】
前記送信手段により送信された前記放送局識別情報により識別される放送局に対応する前記関連情報の提供元の位置情報を受信する位置情報受信手段をさらに有し、
前記関連情報受信手段は、前記位置情報受信手段により受信された前記位置情報に基づいて前記関連情報の提供元から前記関連情報を受信する、
ことを特徴とする請求項１記載の情報処理装置。
【請求項９】
前記送信手段は、前記要求情報および前記放送局識別情報を、特定時間間隔で連続的に送信することを特徴とする請求項１記載の情報処理装置。
【請求項１０】
放送を受信して再生するとともに、放送されたコンテンツに関連する情報を取得することが可能な情報処理装置を用いた情報処理方法であって、
複数の放送局名と、受信するための周波数と、放送局を識別する放送局識別情報とが対応付けられた放送局対応情報が記憶手段にあらかじめ記憶されているとき、受信設定記憶手段が、前記情報処理装置において受信された放送信号の周波数と、前記放送局対応情報内で当該周波数に対応する前記放送局名および前記放送局識別情報とを関連付けて記憶する受信設定記憶ステップと、
送信手段が、前記情報処理装置において受信される放送信号内のコンテンツに関連する関連情報を要求する要求情報を、受信される放送信号の周波数に対して前記受信設定記憶ステップで関連付けられた前記放送局識別情報とともに送信する送信ステップと、
関連情報受信手段が、前記要求情報に対応する前記関連情報を受信する関連情報受信ステップと、
表示手段が、前記関連情報受信ステップで受信した前記関連情報を表示する表示ステップと、
を備えることを特徴とする情報処理方法。
【請求項１１】
放送信号を受信する周波数を設定するとともに、放送されたコンテンツに関連する情報を取得する処理をコンピュータに実行させるための情報処理プログラムにおいて、
複数の放送局名と、受信するための周波数と、放送局を識別する放送局識別情報とが対応付けられた放送局対応情報をあらかじめ記憶しておき、受信された放送信号の周波数と、前記放送局対応情報内で当該周波数に対応する前記放送局名および前記放送局識別情報とを関連付けて記憶する受信設定記憶ステップと、
受信される放送信号内のコンテンツに関連する関連情報を要求する要求情報を、受信される放送信号の周波数に対して前記受信設定記憶ステップで関連付けられた前記放送局識別情報とともに送信する送信ステップと、
前記要求情報に対応する前記関連情報を受信する関連情報受信ステップと、
前記関連情報受信ステップで受信した前記関連情報を表示する表示ステップと、
を含む処理を前記コンピュータに実行させることを特徴とする情報処理プログラム。
【請求項１２】
前記放送局対応情報には、前記放送局名、前記周波数および前記放送局識別情報が受信可能な地域を示す地域情報に対応付けられており、
前記受信設定記憶ステップでは、ユーザ入力により選択された前記地域情報に基づいて、受信される放送信号の周波数と、前記放送局対応情報内で当該周波数および選択された前記地域情報に対応する前記放送局名および前記放送局識別情報とを関連付けて記憶する、
ことを特徴とする請求項１１記載の情報処理プログラム。
【請求項１３】
前記受信設定記憶ステップでは、放送信号が受信された周波数を自動的に検出し、前記放送局対応情報内の周波数のうち、自動的に検出された周波数と一致した周波数に対応する前記放送局名および前記放送局識別情報を、当該周波数に関連付けて自動的に記憶する、
ことを特徴とする請求項１１記載の情報処理プログラム。
【請求項１４】
前記受信設定記憶ステップでは、自動的に検出された周波数のうち、前記放送局対応情報内の周波数と一致しない周波数については、ユーザ入力に基づき、当該周波数を前記放送局対応情報内の任意の前記放送局名および対応する前記放送局識別情報に関連付けて記憶することを特徴とする請求項１３記載の情報処理プログラム。
【手続補正２】
【補正対象書類名】明細書
【補正対象項目名】００１７
【補正方法】変更
【補正の内容】
【００１７】
また、本発明では、放送信号を受信する周波数を設定するとともに、放送されたコンテンツに関連する情報を取得する処理をコンピュータに実行させるための情報処理プログラムにおいて、複数の放送局名と、受信するための周波数と、放送局を識別する放送局識別情報とが対応付けられた放送局対応情報をあらかじめ記憶しておき、受信された放送信号の周波数と、前記放送局対応情報内で当該周波数に対応する前記放送局名および前記放送局識別情報とを関連付けて記憶する受信設定記憶ステップと、受信される放送信号内のコンテンツに関連する関連情報を要求する要求情報を、受信される放送信号の周波数に対して前記受信設定記憶ステップで関連付けられた前記放送局識別情報とともに送信する送信ステップと、前記要求情報に対応する前記関連情報を受信する関連情報受信ステップと、前記関連情報受信ステップで受信した前記関連情報を表示する表示ステップとを含む処理を前記コンピュータに実行させることを特徴とする情報処理プログラムが提供される。
【手続補正３】
【補正対象書類名】明細書
【補正対象項目名】００１８
【補正方法】変更
【補正の内容】
【００１８】
このような情報処理プログラムがコンピュータで実行されることにより、複数の放送局名と、受信するための周波数と、放送局を識別する放送局識別情報とが対応付けられた放送局対応情報があらかじめ記憶された状態で、受信設定記憶ステップにおいて、受信された放送信号の周波数と、放送局対応情報内で当該周波数に対応する放送局名および放送局識別情報とが関連付けて記憶される。また、送信ステップでは、受信される放送信号内のコンテンツに関連する関連情報を要求する要求情報が、受信される放送信号の周波数に対して受信設定記憶ステップで関連付けられた放送局識別情報とともに送信される。そして、この要求情報に対応する関連情報が関連情報受信ステップで受信され、受信した関連情報が表示ステップで表示される。これにより、受信可能な放送信号の周波数を、あらかじめ記憶された放送局対応情報に基づいて放送局名および放送局識別情報に対応付けることができ、外部装置から情報を取得することなく、選局した放送局をユーザが認識可能となるとともに、関連情報を要求してこれを受信することが可能となる。
【手続補正４】
【補正対象書類名】明細書
【補正対象項目名】００２０
【補正方法】変更
【補正の内容】
【００２０】
また、本発明の情報処理プログラムが実行されるコンピュータによれば、放送局対応情報をあらかじめ記憶しておくことにより、外部装置から情報を取得することなく、選局した放送局をユーザが認識可能となるとともに、関連情報を要求してこれを受信することが可能となる。従って、たとえば関連情報提供のサービスの非会員であっても、会員登録後に、サービス享受に必要な放送局識別情報を設定する操作を行う必要がなくなり、操作の手間が軽減される。